(57)【要約】      （修正有）【課題】原油やガソリン、石油等の油類の配管に係り、特に地下に埋設する配管の腐蝕や孔蝕を早期に検出し、土壌汚染等を未然に防止する油類の配管構造を提供する。【解決手段】油類の二重配管構造は、配管１６と、該配管の外周に覆設され、該配管からガソリン等油分が外部に漏出することを阻止する繊維強化複合材１７とよりなる。上記配管１６と繊維強化複合材１７の間には漏油検知手段としての油漏れ検知線が介装されている。この油漏れ検知線はスチール配管１６と繊維強化複合材１７との間に所定の隙間を形成させ、スチール配管１６の下面に沿って直線状に配設されている。油漏れ検知線は、検知部と該検知部を覆う吸油部で構成され、吸油部はガソリン等の油分を吸うフッ素樹脂膜等で構成される。漏油の検知は、検知部の素子に油分が浸透し、その抵抗値が変化することでおこなう。【選択図】図３
0003183085.tif 000002
【実用新案登録請求の範囲】
【請求項１】
配管と、
該配管の外周に覆設され、該配管からの漏れ材が外部に漏出することを阻止する繊維強化複合材と、
前記配管と繊維強化複合材との間に配設された前記漏れ材の検出を行う漏油検知手段と、
を有することを特徴とする二重配管構造。
【請求項２】
前記漏油検出手段は前記基管の長手方向に沿って配設されたライン状の検知センサと、該検知センサからの検知情報に従って前記基管からの油漏れを検出する検出回路より成ることを特徴とする請求項１に記載の二重配管構造。
【請求項３】
前記検知センサは抵抗素子の周面に前記油の吸引膜が形成されていることを特徴とする請求項２に記載の二重配管構造。
【請求項４】
前記検知センサは、前記配管の下面に沿って配設されていることを特徴とする請求項２、又は３に記載の二重配管構造。
【請求項５】
前記漏れ材は、油であることを特徴とする請求項１、２、３、又は４に記載の二重配管構造。
【考案の詳細な説明】
【技術分野】
【０００１】
本考案はガソリン等の油類の配管構造に係り、特に二重に配管を施設した二重配管構造に関する。
【背景技術】
【０００２】
今日、油（ガソリン）漏れによる土壌汚染やガス漏れによる災害等が大きな社会問題となっている。このような油漏れやガス漏れ等は、長年の使用により配管が古くなり、また配管に腐蝕が生じ、発生する場合が多い。
【０００３】
このため、従来の給油取扱所や地下タンク貯蔵所等の危険物を取り扱う施設では、使用する配管をスチール配管（鋼製配管）とし、その外面の腐蝕防止のため塗覆設又はコーティングの処置を施している。
【０００４】
地下タンクの場合、点検口を利用して内部の腐蝕や孔蝕を定期的に点検し、必要に応じて補修、改修することは可能である。しかし、上記注油管や給油管は細く、内部点検は不可能である。尚、地下タンクの場合、例えば特許文献１は高度な加工技術が不要でかつ製作の手間が掛からず、施工手間が少ない合成樹脂製の埋設タンクの提案が行われている。
【先行技術文献】
【特許文献】
【０００５】
【特許文献１】特開２００３−２６１１９５号公報
【考案の概要】
【考案が解決しようとする課題】
【０００６】
しかしながら、上記従来の処理を行っても、長年の使用によって配管に腐蝕が生じ、特に地下に埋設されている配管や、塩害の影響を受ける沿岸配管、又は長距離配管においては重要な問題である。
例えば、地下配管では前述のように土壌汚染の原因になり、沿岸配管（地上配管）では火災や爆発の原因となる。さらに、長距離配管では漏れ箇所の特定が困難である。
【０００７】
本考案は、上記課題を解決するため、配管をＦＲＰ（繊維強化複合材）で覆設し、油漏れ等を防止すると共に、検知センサを配設し、油漏れ等の発生や、発生箇所を検知できる二重配管構造を提供するものである。
【課題を解決するための手段】
【０００８】
本考案は上記課題を解決するため、配管と、該配管の外周に覆設され、該配管からの漏れ材が外部に漏出することを阻止する繊維強化複合材と、前記配管と繊維強化複合材との間に配設された前記漏れ材の検出を行う漏油検知手段と、を有する二重配管構造を提供することによって達成できる。
【０００９】
また、前記漏油検出手段は前記基管の長手方向に沿って配設されたライン状の検知センサと、該検知センサからの検知情報に従って前記基管からの油漏れを検出する検出回路より成ることを特徴とする。
【００１０】
また、前記検知センサは抵抗素子の周面に前記油の吸引膜が形成され、前記検知センサは、前記配管の下面に沿って配設されていることを特徴とする。
【考案の効果】
【００１１】
本考案によれば、油漏れを検知でき、更に本例の二重配管構造を採用することによって、外部に油を漏らすことなく油漏れをいち早く発見でき、土壌汚染や地下水への悪影響を未然に防止することができる。
【図面の簡単な説明】
【００１２】
【図１】本実施形態の油類の配管構造を説明するシステム構成図である。
【図２】本実施形態の油類の配管構造を説明する図である。
【図３】（ａ)は注油管の断面図であり、（ｂ)は（ａ)に示すＡ部の拡大図である。
【図４】図３（ａ)のＢ−Ｂ断面図である。
【図５】油漏れ検知線の模式図である。
【図６】油漏れ検知線に油が侵入した場合の模式図である。
【図７】漏油検知回路の回路図である。
【考案を実施するための形態】
【００１３】
以下、本考案の実施の形態を図面を参照しながら説明する。
図１は本実施形態の二重配管構造を説明するシステム構成図である。尚、同図に示すシステム図は、本例の二重配管構造を地下タンクに油（ガソリン）を貯蔵する際の配管に適用するものである。そして、地下タンクとして、本例ではガソリンスタンドの地下に埋設するタンクの例を説明する。
【００１４】
同図において、地下タンク１には油（ガソリン）を入れる注油管２、地下タンク１から油（ガソリン）を吸引する給油管３、地下タンク１の通気を行う通気管４、及び地下タンク１に貯蔵された油（ガソリン）の液面高を計測する液面計５が設けられている。また、地下タンク１は地表から所定の深さに埋設され、地下タンク１上には不図示のコンクリートが施設されている。
【００１５】
また、注油管２には地表に注油口６が設けられ、注油口６から油（ガソリン）の注油を行う。また、給油管３には地表に計量器、ポンプ等の機器類７が設けられ、地下タンク１から油（ガソリン）を吸引し、吸引する油（ガソリン）の計量を行う。また、注油管２にはバルブ８が設けられ、給油管３にはバルブ９が設けられ、地下タンク１の補修／改修作業の際、このバルブ８及び９を閉鎖して行う。尚、通気管４には通気口１０が設けられ、地下タンク１に発生するガスを排出している。
【００１６】
一方、上記注油管２の所定箇所には、油（ガソリン）漏れを検知する検知センサ１１が設けられ、給油管３の所定箇所にも、油（ガソリン）漏れを検知する検知センサ１２が設けられている。そして、これらの検知センサ１１、１２は電送ケーブル１３によって漏油検知モニタ１４に接続され、注油管２及び給油管３の油漏れを検知する構成である。
【００１７】
図２は上述のシステム構成において、その断面構造を説明する図である。尚、図２に示す断面図は、特に上述の注油管２及び電送ケーブル１３を含む断面構造を示す。
【００１８】
前述のように、注油管２には注油口６が設けられ、注油口６から油（ガソリン）が注油され、注油管２を通って地下タンク１に油（ガソリン）が貯蔵される。同図に示すように、注油管２は二重構造であり、スチール配管１６を基管としてＦＲＰ（繊維強化複合材）１７を覆設した構造である。ここで、更に上記構成の注油管２の構造を詳しく説明する。
【００１９】
図３（ａ）は上記注油管２の断面図であり、同図（ｂ）は同図（ａ）の点線丸印部Ａの拡大図である。上述のように注油管２は二重構造であり、スチール配管１６にＦＲＰ（繊維強化複合材）１７が覆設されている。また、同図（ｂ）に示すように、スチール配管１６とＦＲＰ（繊維強化複合材）１７の間には漏油検知手段としての油漏れ検知線２０が介装されている。この油漏れ検知線２０はスチール配管１６とＦＲＰ（繊維強化複合材）１７との間に所定の隙間を形成させ、スチール配管１６の下面１６ｂに沿って直線状に配設されている。
【００２０】
また、図４は上記注油管２の断面図であり、上記図３（ａ）のＢ−Ｂ線断面図である。注油管２の下部は、図３（ｂ）で説明したように、スチール配管１６とＦＲＰ（繊維強化複合材）１７間に油漏れ検知線２０を介装した構成である。一方、注油管２の上部はＦＲＰ（繊維強化複合材）１７を二重に貼着した構造である。すなわち、スチール配管１６には一層目のＦＲＰ（繊維強化複合材）１７ａが配設され、更にＦＲＰ（繊維強化複合材）１７ａの上にＦＲＰ（繊維強化複合材）１７ｂが貼着されている。また、ＦＲＰ（繊維強化複合材）１７ａ、１７ｂ間はプライマー１９の塗装が施されている。
【００２１】
尚、本例で使用するＦＲＰ（繊維強化複合材）１７は、エポキシアクリレート樹脂をベースとし、ガラス繊維で強化した薄いシートであり、上下面は透明なプラスチックフィルムで覆われている。また、上記プライマー１９による塗装は、ＦＲＰ（繊維強化複合材）１７を接着する部材の不陸を修正し接着性を高めること、及び塗装乾燥後、ＦＲＰ（繊維強化複合材）１７とプライマー１９との間に気泡が生じた場合、ＦＲＰ（繊維強化複合材）１７を剥がし易くし、貼り直しを容易にし、脱泡を容易にするためである。また、プライマー１９は促進材、硬化材を混合することで硬化するエポキシアクリレート樹脂である。
【００２２】
また、上述のスチール配管１６の周面を覆うＦＲＰ（繊維強化複合材）１７ａは、ＦＲＰ（繊維強化複合材）１７ａの表面に形成されたプラスチックフィルムがそのまま残された状態であり、スチール配管１６に下層のＦＲＰ（繊維強化複合材）１７ａを巻き、その後上層のＦＲＰ（繊維強化複合材）１７ｂを所定距離巻き、下層のＦＲＰ（繊維強化複合材）１７ａに上面で貼着した構成である。このように構成することにより、スチール配管１６と下層のＦＲＰ（繊維強化複合材）１７ａ間には隙間が形成され、後述する漏れ油の経路となる。
【００２３】
次に、上述の二重配管構造の注油管２の施工工程を以下に説明する。先ず、長年使用した配管（スチール配管１６）の外面の清掃を行う。この清掃後、スチール配管１６の圧力検査を行い、スチール配管１６外面のホコリ、汚れ等をウエスで拭き取る。
【００２４】
次に、油漏れ検知線２０の取り付け作業を行う。この油漏れ検知線２０の配設は、スチール配管１６の下面に沿って直線状に配設し、油漏れ検知線２０が弛まないように一定間隔毎に固定する。
【００２５】
図５は油漏れ検知線２０の断面図であり、検知部２０ａと検知部２０ａを覆う吸油部２０ｂで構成されている。吸油部２０ｂがガソリン等の油分を吸う性質を有する、例えばフッ素樹脂膜で構成され、検知部２０ａは吸油部２０ｂによって吸引された油の検知を行う。図６はこの構成を模式的に示す図であり、吸油部２０ｂを介して油が検知部２０ａに入ると、検知部２０ａの素子に油分が浸透し、検知部２０ａの抵抗値を変化させる。
【００２６】
上記注油管２に配設された油漏れ検知線２０には、対応して信号線２１が接続されている。この信号線２１は漏油検知装置内の油漏れ検知回路に接続され、各油漏れ検知線２０からの検知信号（抵抗値変化）に基づいて油漏れが検出される。
【００２７】
尚、上記信号線２１は漏油検知装置１４まで延設され、漏油検知装置１４によって注油管２からの油漏れが外部に報知される。この漏油検知装置１４には後述する漏油検知回路（以下、単に検知回路で示す）や、ＬＥＤ表示部を備え、例えばＬＥＤ表示部によって注油管２からの油漏れが外部に報知される。
【００２８】
尚、上述の説明において、特に注油管２について説明したが、給油管３についても同様の構成であり、スチール配管１６にＦＲＰ（繊維強化複合材）１７を覆設した構成である。また、スチール配管１６とＦＲＰ（繊維強化複合材）１７間には油漏れ検知線２０が介装されている。
【００２９】
以上の構成の地下タンク１に配設される注油管２、及び給油管３の構成において、以下に油（ガソリン）漏れ阻止、及び油漏れの検知動作を説明する。長年の使用によって注油管２又は給油管３に劣化が生じると、配管に亀裂が生じ、当該箇所から油が漏れ出す。配管（例えば、注油管２）の周面に亀裂が生じた場合、当該箇所から油が漏れ出す。しかし、本例の二重配管構造によれば、配管（例えば、注油管２）の周面はＦＲＰ（繊維強化複合材）１７によって覆設されているので、漏れた油（ガソリン）が外部に漏れ出すことはない。したがって、油（ガソリン）漏れによる土壌の汚染を確実に防止できる。
【００３０】
また、配管（例えば、注油管２）から漏れた油はスチール配管１６とＦＲＰ（繊維強化複合材）１７間に形成される隙間を通ってスチール配管１６の下面に流れる。尚、この場合、漏れた油（ガソリン）はスチール配管１６のプラスチックフィルム面とＦＲＰ（繊維強化複合材）１７間に形成される隙間を通して流れる。
【００３１】
上述のようにしてスチール配管１６の下面に達した漏れ油は、前述の油漏れ検知線２０によって検知される。ずなわち、前述の図６に示すように、吸油部２０ｂを介して油が検知部２０ａに入ると、例えば同図に示すＤの範囲の検知部２０ａの素子に油分が浸透し、検知部２０ａの抵抗値を変化させる。この抵抗値変化は信号線２１を介して漏油検知装置１４の検知回路２４に通知される。
【００３２】
図７は上記検知回路の回路図であり、上記抵抗変化を検出し、この抵抗値変化を電圧変化に変換して油漏れを検出する回路である。この検知回路２４は抵抗Ｒ１、Ｒ２、コンパレータＣで構成され、上記油漏れ検知線２０の出力がコンパレータＣの反転入力（−入力）に供給される。また、コンパレータＣの非反転入力（＋入力）には基準電圧（Ｖref）が入力し、コンパレータＣは基準電圧（Ｖref）より大きな電圧が油漏れ検知線２０から供給される間、ロー信号を出力するが、油漏れ検知線２０の出力が基準電圧（Ｖref）より小さくなるとハイ信号を出力する。尚、コンパレータＣの反転入力（−入力）には抵抗Ｒ１を介して通常の所定電圧Ｖが供給される。
【００３３】
このように構成することにより、例えば油漏れを検知した油漏れ検知線２０の抵抗値が増大し、コンパレータＣの反転入力（−入力）には、抵抗Ｒ１と油漏れ検知線２０の抵抗値の分圧電圧が供給され、基準電圧（Ｖref）より電圧が低くなることによってハイ信号がコンパレータＣから出力される。したがって、漏油検知装置１４はこの信号によって、前述のＬＥＤを点灯又は点滅して油漏れを外部に報知する。
【００３４】
尚、上記実施形態の説明では、ガソリンスタンド等の地下埋設タンクの例について説明したが、他の地下タンク所蔵所、給油取扱所、油（ガソリン）やガスの移送取扱所等に対する地下配管について適用可能である。
【００３５】
また、本例は地下配管に限らず、腐蝕が起こりやすい沿岸部の露出配管や、長距離配管にも適用することができる。さらに、上記説明においてはスチール配管１６へのＦＲＰ（繊維強化複合材）１７の配設は、プラスチックフィルムを剥がさない構成としたが、プラスチックフィルムを剥がし、スチール配管１６に直接貼り付ける構成としてもよい。
【符号の説明】
【００３６】
１・・・地下タンク
２・・・注油管
３・・・給油管
４・・・通気管
５・・・液面計
７・・・注油口
８・・・機器類
９、１０・・バルブ
１１・・信号線
１２・・通気口
１４・・漏油検知装置
１６・・スチール配管
１６ｂ・・下面
１７、１７ａ、１７ｂ・・ＦＲＰ（繊維強化複合材）
１９・・プライマー
２０・・油漏れ検知線
２０ａ・・検知部
２０ｂ・・吸油部
２１・・信号線
２４・・検知回路
Ｃ・・・コンパレータ
Ｒ・・・油漏れ検知線の抵抗値
Ｒ１、Ｒ２・・抵抗
【図１】
0003183085.tif 000003
【図２】
0003183085.tif 000004
【図３】
0003183085.tif 000005
【図４】
0003183085.tif 000006
【図５】
0003183085.tif 000007
【図６】
0003183085.tif 000008
【図７】
0003183085.tif 000009